(57)【要約】【課題】開封し易く、かつ開封後に被包装物を速やかに取り出すことができるように改良された易開封性包装袋を提供することを目的とする。【解決手段】包装袋１は、重ね合わされた一方の側のフィルムと他方の側のフィルムとに囲まれて形成された収容部を有するものである。一方の側のフィルム２には、当該包装袋の幅方向に延びる１以上の山もしくは谷、あるいは山谷を有する波形状に描画された第１の開封誘導線６が設けられ、他方の側のフィルム３には、上記幅方向に延びる、１以上の山もしくは谷、あるいは山谷を有する波形状に描画された第２の開封誘導線７が設けられている。重ね合わせ方向の投影において、第１の開封誘導線６と第２の開封誘導線７は、それぞれの両端部において１本に収束している。重ね合わせ方向の投影において、第１の開封誘導線６と第２の開封誘導線７との間にズレが発生していることを特徴とする。【選択図】図１
2017105516.tif 000002
【特許請求の範囲】
【請求項１】
互いのシール層を向かい合わせて重ね合わされた一方の側のフィルムと他方の側のフィルムとに囲まれて形成された収容部を有する包装袋において、
前記一方の側のフィルムには、当該包装袋の幅方向に延びる、１以上の山もしくは谷、あるいは山谷を有する波形状に描画された第１の開封誘導線が設けられ、
前記他方の側のフィルムには、前記幅方向に延びる、１以上の山もしくは谷、あるいは山谷を有する波形状に描画された第２の開封誘導線が設けられ、
前記重ね合わせ方向の投影において、前記第１の開封誘導線と前記第２の開封誘導線は、それぞれの両端部において１本に収束しており、
前記重ね合わせ方向の投影において、前記第１の開封誘導線と前記第２の開封誘導線との間にズレが発生していることを特徴とする包装袋。
【請求項２】
前記一方の側のフィルム及び他方の側のフィルムは、少なくとも、表層およびシール層を含む多層構造を有し、前記シール層が内側になるようにシールされており、
前記開封誘導線は、レーザ加工によって前記表層側からハーフカットすることによって形成されている、請求項１に記載の包装袋。
【請求項３】
前記包装袋のうち、少なくとも１つの層がアルミを含むバリア層で構成される、請求項１又は２に記載の包装袋。
【発明の詳細な説明】
【技術分野】
【０００１】
本発明は一般に包装袋に関するものであり、より特定的には、開封し易く、かつ開封後に被包装物を速やかに取り出すことができるように改良された易開封性包装袋に関する。
【背景技術】
【０００２】
図６（Ａ）に示すように、従来から使用されている食品包装用袋２３は、４辺が熱シールされ、重ね合わされた一方の側のフィルムと他方の側のフィルムとに囲まれた収容部に、被包装物である例えば粉末カレーなどの内容物２４が密封される。開封しやすいように、一方の側のフィルムと他方の側のフィルムに、幅方向に延びる開封誘導線２５が入れられている。
【発明の概要】
【発明が解決しようとする課題】
【０００３】
しかし、図６（Ｂ）を参照して、開封誘導線２５は、高さ方向において表も裏も同じ位置に入れられていたので、内容物２４に一定の嵩が無い場合、開封後において、取り出し口２６が塞がれた状態で、切り口の端を指でつまむことができない。ひいては、内容物２４を取り出し難いという問題点があった。
【０００４】
また一方で、開封後に切り口が意図的にズレるように工夫されている状態で、開封しようとした場合、一方へ押し切りまたは引き切りする際には抵抗や引っ掛かりなく、容易に開封できる形状であっても、他方へ押し切りまたは引き切りする際には、逆に抵抗や引っ掛かりが発生する問題を抱えていた。
【０００５】
この発明は、上記のような問題点を解決するためになされたもので、切り口の端を指で容易につまむことができ、かつ切り口を押し切りまたは引き切りのどちらにも開封し易い包装袋を提供することを目的とする。
【課題を解決するための手段】
【０００６】
本発明は、互いのシール層を向かい合わせて重ね合わされた一方の側のフィルムと他方の側のフィルムとに囲まれて形成された収容部を有する包装袋に係る。上記一方の側のフィルムには、当該包装袋の幅方向に延びる、１以上の山もしくは谷、あるいは山谷を有する波形状に描画された第１の開封誘導線が設けられている。上記他方の側のフィルムには、上記幅方向に延びる、１以上の山もしくは谷、あるいは山谷を有する波形状に描画された第２の開封誘導線が設けられている。上記重ね合わせ方向の投影において、上記第１の開封誘導線と上記第２の開封誘導線は、それぞれの両端部において１本に収束している。上記重ね合わせ方向の投影において、上記第１の開封誘導線と上記第２の開封誘導線との間にズレが発生していることを特徴とする。
【０００７】
本発明によれば、上記開封誘導線に沿って包装袋を開封したのちに、上記山もしくは谷あるいは波形状の大部分が残る。そして、上記重ね合わせ方向の投影において、上記第１の開封誘導線と上記第２の開封誘導線との間にズレ(重ならない部分)が発生しているので、このズレの部分が指つまみ部分（つかみ代）となる。ズレがない場合、表基材と裏基材で切り口が完全に揃ってしまい、指つまみ部分（つかみ代）ができないが、本発明によれば、ズレができるので、このズレが指つまみ部分（つかみ代）となる。
【０００８】
上記１本に収束した開封誘導線に連なる、切れ目のきっかけを与える切欠き部を有していてもよい。切欠き部の形状は、Ｉノッチ、Ｖノッチ、亀の甲ノッチなど公知の切欠き部を用いることができる。切欠き部を有する場合、該切欠き部は袋の端部２か所に形成されるのが好ましいが１か所でもよい。
【０００９】
上記一方の側のフィルムと他方の側のフィルムは、少なくとも、表層およびシール層を含む多層構造を有し、上記シール層が内側になるように接着されており、それぞれの開封誘導線は、レーザ加工によって上記表層側からハーフカットすることによって形成されているのが好ましい。
【００１０】
上記包装袋のうち、少なくとも１つの層がアルミを含むバリア層で構成される。
【発明の効果】
【００１１】
本発明によれば、上記重ね合わせ方向の投影において、一方の側の開封誘導線と他方の側の開封誘導線にズレ(重ならない部分)が発生しているので、このズレの部分が指つまみ部分（つかみ代）となる。ズレがない場合、表基材と裏基材で切り口が完全に揃ってしまい、指つまみ部分（つかみ代）ができないが、本発明によれば、ズレがあるので、このズレが指つまみ部分（つかみ代）となる。
【図面の簡単な説明】
【００１２】
【図１】（Ａ）は、本発明の実施例に係る易開封性の包装袋の斜視図であり、（Ｂ）は図１（Ａ）におけるＢ−Ｂ線に沿う断面図であり、（Ｃ）は一方の側から見た正面図であり、（Ｄ）は他方の側から見た正面図である。
【図２】本発明に係る包装袋の開封後の状態を示す正面図である。
【図３】（Ａ）本発明の実施例に係る包装袋の開封前の状態を示す図であり、（Ｂ）は、開封後の状態を示す図である。
【図４】開封誘導線を形成するレーザ加工の様子を説明する図である。
【図５】指で掴む部分を形成するための切れ目線の他の具体例を示す図である。
【図６】（Ａ）従来から使用されている食品包装用袋の概念図であり、（Ｂ）は従来の食品包装用袋の問題点を示す図である。
【発明を実施するための形態】
【００１３】
開封し易く、かつ開封後に被包装物を速やかに取り出すことができるように改良された包装袋を得るという目的を、重ね合わせ方向の投影において、一方の側の開封誘導線と他方の側の開封誘導線にズレを発生させることによって実現した。以下、本発明の実施の形態及び実施例を、図を用いて説明する。なお、各図中において、同一又は相当する部分には同一の参照番号を付し、その説明を繰り返さない。
【００１４】
図１（Ａ）、（Ｂ）、（Ｃ）および（Ｄ）を参照して、包装袋１は、重ね合わされた一方の側のフィルム２と他方の側のフィルム３とを備え、これらのフィルムに囲まれて収容部が形成されている。一方及び他方の側のフィルム２，３は、表層１７、接着層２７、中間層１８及びシール層１９からなり、互いのシール層１９を向き合わせて重ね合わされ、両側部及び底部がヒートシールされている（シール部３０）。一方の側のフィルム２には、当該包装袋の幅方向に延びる、１以上の山もしくは谷、あるいは山谷を有する波形状に描画された第１の開封誘導線６が設けられ、他方の側のフィルム３には、幅方向に延びる、１以上の山もしくは谷、あるいは山谷を有する波形状に描画された第２の開封誘導線７が設けられている。重ね合わせ方向の投影において、第１の開封誘導線６と第２の開封誘導線７はズレて形成されている。第１の開封誘導線６と第２の開封誘導線７は、それぞれの両端部において１本に収束している。
【００１５】
図２は、本発明に係る包装袋の開封後の正面図である。開封誘導線６，７に沿って包装袋１を開封したのちに、山もしくは谷あるいは波形状のラインの大部分が残り、重ね合わせ方向の投影において、一方の側と他方の側の誘導線６，７の切れ後にズレが発生することが本発明の特徴である。図１（Ｂ）の断面図を併せて参照して、一方のフィルム２側から他方のフィルム３側を投影して覗いた場合に、他方のフィルム３側のシール層１９が露わになっている部分Ｂの総和の面積をＳ1とし、他方のフィルム３側から一方のフィルム２側を投影して覗いた場合に、一方のフィルム２側のシール層１９が露わになっている部分Ａの総和の面積をＳ2とする場合、下記不等式（１）が成立している。
【数１】
2017105516.tif 000003
【００１６】
露わになっている部分Ａ、Ｂ、すなわちズレ (重ならない部分) を生じさせることが本願発明の特徴である。ズレがない場合、表基材と裏基材で切り口が完全に揃ってしまい、指つまみ部分（つかみ代）ができないが、本発明によれば、ズレがあるので、このズレが指つまみ部分（つかみ代）となる。
【００１７】
このズレについて、さらに上記式（１）（Ｓ1−Ｓ2≧０  または  Ｓ2−Ｓ1≧０）を満たすということは、一方の側から他方の側を投影して覗いた場合に、他方の側のシール層１９が露わになっている部分Ｂの総和の面積Ｓ1と、他方の側から一方の側を投影して覗いた場合に、一方の側のシール層１９が露わになっている部分Ａの総和の面積Ｓ2が、完全に一致する、もしくはほぼ一致することを意味する。その結果、どちらの側からも見ても指つまみ部分（つかみ代）は、ほぼ同じ条件になる。
【００１８】
上記式（１）のうち、とくにＳ1＝Ｓ2が成立し、Ｓ1およびＳ2の差がごく小さな値である場合は、一方の側から投影した他方の側のシール層１９の露わになっている部分の面積Ｂと、他方の側から投影した一方の側のシール層の露になっている部分の面積Ａとが、完全に一致する。この場合は、どちらの側からも見ても指つまみ部分（つかみ代）は全く同じ条件になる。また、面積差がないため、カット方向に関係なく、かつ表裏に関係なく、また押し切り開き及び引き切り開きの動作方向に関係なく、指つまみ部分がはっきり現れる。これらの間で面積差があると、カット方向により、綺麗にカットできたり、できなかったりする不具合が生じる。面積差を完全になくす（Ｓ1＝Ｓ2）ことにより、この不具合を防止することができる。以下、実施例を説明する。
【実施例１】
【００１９】
図３（Ａ）を参照して、上述したような開封誘導線６，７を有する包装袋は、その上端を除き、底部４と側部５，５の３辺が熱シールされる。切れ目のきっかけを与える切欠き部２８が、第１及び第２の開封誘導線６，７の上記収束部に連なって設けられている。
【００２０】
図１（Ｂ）を併せて参照して、表面層１７はポリエステル系フィルム又はポリアミド系フィルムで形成されるのが好ましいが、これに限定されるものではない。表面層１７の厚みはポリエステルの場合１２〜２５μｍ、ポリアミドの場合１５μｍである。中間層１８はアルミ（ＡＬ）箔で形成されるのが好ましい。中間層１８の厚みは７μｍである。シール層１９の厚みは３０〜１３０μｍである。シール層１９は、後述する熱シールするためのものであり、ポリプロピレン系フィルム又はポリエチレン系フィルムで形成されるのが好ましい。
【００２１】
収容部に被包装物を充填して、上端部を熱シールすることにより、被包装物は密封される。
【００２２】
このように構成された包装袋の開封の動作について説明する。
【００２３】
図３（Ａ）を参照して、第１及び第２の開封誘導線６、７はいずれも後述するハーフカット線である。一方の側のフィルム２に形成された第１の開封誘導線６は、切欠き部２８より切れ目のきっかけが与えられると幅方向に切れていく。また他方の側のフィルム３に形成された第２の開封誘導線７も、切欠き部２８より切れ目のきっかけが与えられると、幅方向に切れていく。図３（Ｂ）に示すように、第１及び第２開封誘導線６，７に沿って包装袋を開封した後、第１及び第２の開封誘導線６、７の山もしくは谷あるいは波形状のラインの大部分が損傷せずに残るのが特徴である。
【００２４】
また、本発明によれば、図３（Ｂ）に示すように、第１の開封誘導線６と他方の側のフィルムに設けられた第２の開封誘導線７は、開封されるとズレ（重ならない部分）が生じる。ズレた部分で指つまみ部分２９ができる。指つまみ部分２９が現れることにより、切り口の端を指で容易につまむことができる。ひいては取り出し口８を容易に開けることができる。
【００２５】
図４は、第１及び第２の開封誘導線６、７を形成するためのレーザ加工の様子を示す、多層積層フィルムの断面図である。多層積層フィルムは、上述した通り、表層１７／接着層２７／中間層１８／シール層１９からなる。開封誘導線６、７のそれぞれは、レーザ加工で表層側からハーフカットされ、表層１７のみに形成される。これによってハーフカット線が形成される。
【実施例２】
【００２６】
上記実施例では、開封誘導線、すなわち指で掴む部分を形成するための切れ目線の形状が、正弦波形状の場合を例示したが、この発明はこれに限られるものでなく、図５（Ａ）に示すような矩形波形状、図５（Ｂ）に示すような三角波形状、図５（Ｃ）に示すような台形の繰り返しによる波形状、図５（Ｄ）に示すような角丸長方形の上半分の繰り返しによる波形状であってもよい。
【００２７】
なお、本発明は、開封誘導線の下に位置する部分に、チャックなどの再封止手段を有する袋に使用されてもよい。
【００２８】
また、当該包装袋はピロー袋又はガゼット袋であってもよい。
【００２９】
今回開示された実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３０】
本発明によれば、開封し易く、かつ開封後に被包装物を速やかに取り出すことができる易開封性包装袋が得られる。
【符号の説明】
【００３１】
１    包装袋
２    一方の側のフィルム
３    他方の側のフィルム
４    底部
５    側部
６    第１の開封誘導線
７    第２の開封誘導線
８    取り出し口
１７  表層
１８  中間層
１９  シール層
２３  食品包装用袋
２４  内容物
２５  開封誘導線
２６  取り出し口
２７  接着層
２８  切欠き部
２９  指つまみ部
３０  シール部
【図１】
2017105516.tif 000004
【図２】
2017105516.tif 000005
【図３】
2017105516.tif 000006
【図４】
2017105516.tif 000007
【図５】
2017105516.tif 000008
【図６】
2017105516.tif 000009